(57)【要約】【課題】全身の運動を容易に可能とする器具であり、老人や病後の者が、横臥した状態で、極めて容易に各種運動をなすことができる健康維持を目的とした室内運動器具を提供するものである。【解決手段】着座状態において使用可能となり、全身の伸身運動、筋力トレーニングおよびアームチェスト運動の機能を備えた健康維持を目的とした室内運動器具において、所定の抵抗力を有し可動自在となる背もたれ部と、該背もたれ部に高さ調節自在に取り付けられるヘッドレトと、器具本体に固定される座椅子部と、所定の抵抗力を有し可動自在となる引き手用バーと、所定の抵抗力を有し可動自在となる押し足用バーが、一体的に装着されるものであって、背もたれ部と引き手用バーと押し足用バーの各部がそれぞれ独立して可動することを特徴とするものである。【選択図】　　　　　図１
2004016577.tif 000002
【特許請求の範囲】
【請求項１】
着座状態において使用可能となり、全身の伸身運動、筋力トレーニングおよびアームチェスト運動の機能を備えた健康維持を目的とする室内運動器具において、所定の抵抗力を有し可動自在となる背もたれ部と、該背もたれ部に高さ調節自在に取り付けられるヘッドレストと、器具本体に固定される座椅子部と、所定の抵抗力を有し可動自在となる引き手用バーと、所定の抵抗力を有し可動自在となる押し足用バーが、一体的に装着されるものであって、背もたれ部と引き手用バーと押し足用バーの各部がそれぞれ独立して可動することを特徴とする健康維持を目的とした室内運動器具。
【請求項２】
押し足バーが左右足に対応するため二つのバーからなり、その各バーが独立して可動することを特徴とする請求項１に記載される健康維持を目的とする室内運動器具。
【請求項３】
引き手用バーが左右手に対応するため二つのバーからなり、その各バーが独立して可動することを特徴とする請求項１に記載される健康維持を目的とする室内運動器具。
【請求項４】
押し足用バーが設置位置調節自在となることを特徴とする請求項１乃至請求項３に記載される健康維持を目的とする室内運動器具。
【請求項５】
引き手バーが脱着自在となることを特徴とする請求項１乃至請求項４に記載される健康維持を目的とする室内運動器具。
【請求項６】
器具本体略中央部より折りたたみ自在となることを特徴とする請求項１乃至請求項５に記載される健康維持を目的とする室内運動器具。
【発明の詳細な説明】
【０００１】
【発明の属する技術分野】
本発明は、着座した状態において各種のトレーニングをすることができる健康維持を目的とする運動器具に関するものであって、詳細には、背部から脚部にわたる全身の伸身運動を可能とすると共に、同時に胸部や腕部等の筋力トレーニングをなすことが可能となり、殊に老人の日常運動や病後のリハビリに適した健康維持を目的とした室内運動器具に関するものである。
【０００２】
【従来の技術】
老人の日常運動や病後のリハビリのための運動のためには、例えば自宅内においてテレビを見ながらあるいは新聞を読みながら手軽に行うことが好ましい。
【０００３】
従来、室内において健康維持のため運動する器具は各種提供されているが、それらは胸部や背部などを個別にトレーニングするものが多く、また全身運動が可能な器具においては、いわゆるアスレチックジムなどに備えられる本格的な筋力トレーニングに資するものが多く、使用方法も複雑であった。
【０００４】
【発明が解決しようとする課題】
本発明は、上記の問題点に鑑みなされたものであり、その目的とするところは、全身の運動を容易に可能とする器具であり、老人や病後の者が、横臥した状態で、極めて容易に各種運動をなすことができる健康維持を目的とした室内運動器具を提供するものである。
【０００５】
【課題を解決するための手段】
本発明はかかる目的に鑑みなされたものであり、着座状態において使用可能となり、全身の伸身運動、筋力トレーニングおよびアームチェスト運動の機能を備えた健康維持を目的とした室内運動器具において、所定の抵抗力を有し可動自在となる背もたれ部と、該背もたれ部に高さ調節自在に取り付けられるヘッドレトと、器具本体に固定される座椅子部と、所定の抵抗力を有し可動自在となる引き手用バーと、所定の抵抗力を有し可動自在となる押し足用バーが、一体的に装着されるものであって、背もたれ部と引き手用バーと押し足用バーの各部がそれぞれ独立して可動することを特徴とするものである（請求項１）。
【０００６】
請求項１に記載された健康維持を目的とする室内運動器具において、押し足バーが左右足に対応するため二つのバーからなり、その各バーが独立して可動することを特徴とするものである（請求項２）。
【０００７】
請求項１に記載された健康維持を目的とする室内運動器具において、引き手用バーが左右手に対応するため二つのバーからなり、その各バーが独立して可動することを特徴とするものである（請求項３）。
【０００８】
請求項１乃至請求項３に記載された健康維持を目的とする室内運動器具において、押し足用バーが設置位置調節自在となることを特徴とするものである（請求項４）。
【０００９】
請求項１乃至請求項４に記載された健康維持を目的とする室内運動器具において、引き手バーが脱着自在となることを特徴とするものである（請求項５）。
【００１０】
請求項１乃至請求項５に記載された健康維持を目的とする室内運動器具において、器具本体略中央部より折りたたみ自在となることを特徴とするものである（請求項６）。
【００１１】
【発明の実施の形態】
本発明の実施の形態を図面に基づき説明する。
【００１２】
図１は本発明の一実施例において、その使用状態を示す斜視図である。
【００１３】
図２は本発明の一実施例を示す斜視図である。
【００１４】
図３は本発明の一実施例において、その折りたたまれた状態を示す図である。
【００１５】
器具本体は、その全体的構造において、例えば軽量なアルミパイプなどが用いられる。
【００１６】
これにより、老人や病後で体力の衰えた人であっても、移動、組立が容易に行うことが可能となる。
【００１７】
背もたれ部１は、通常の場合、使用者が座椅子部２に腰掛けた状態において、ほぼ１２０度程度に傾斜した位置に設定されている。
【００１８】
これにより、使用者は、着座した状態で本発明を使用することとなる。
【００１９】
該背もたれ部１は、使用者が、背を反らせながら身体を伸ばすことにより、後方に可動する構成が採用される。
【００２０】
なお、該背もたれ部１は、所定の抵抗力を有しながら可動するものである。
【００２１】
抵抗力を付与する手段は、例えば、背もたれ部１の一方側方部にばね材Ｘを設け、該ばね材Ｘの一端を該背もたれ部１に固着し、他端を器具本体に固着させることにより行うものである。
【００２２】
これにより、使用者は、着座した状態から身体を後方にそらすように伸ばすことにより、上記ばね材Ｘによって一定の負荷力を与えられながら運動することとなり、背骨や背筋などの適当なトレーニングを行うことが可能となる。
【００２３】
なお、背筋等の力を緩めていくと、背もたれ部１は元の状態に復元する。
【００２４】
ヘッドレストＨは、背もたれ部１に取り付けられており、背もたれ部１上部より突設される。
【００２５】
これにより、使用者は、頭部をもたれかかることができ、リラックスしながらトレーニングすることが可能となる。
【００２６】
なお、ヘッドレストＨは、使用者の身長に合わせ、高さを調節することが可能となると共に、取り外し自在となる。
【００２７】
座椅子部２は、器具本体、具体的には、器具本体底部を形成するパイプなどに固定される。
【００２８】
引き手バー３は、座椅子部２の側方部に設けられており、腰掛けた状態で、左右の手に対応するため、二本のバーが設けられる。
【００２９】
該引き手バー３は、使用者が握りながら胸部方向に引きつけるようにすると、所定の抵抗力を有しながら可動することとなる。
【００３０】
これにより、大胸筋や腕の諸筋肉をトレーニングしながら、運動することが可能となる。
【００３１】
抵抗力を付与する手段は、上記した背もたれ部と同様の構造を採用するものであり、ばね材を用い、該ばね材を引き手バーと器具本体に固着させるものとなる。
【００３２】
なお、請求項３に記載のとおり、引き手バーは各バーが独立して可動することとなるので、例えば、使用者は片方の腕のみを使いトレーニングすることも可能となる。
【００３３】
したがって、上記ばね材は、左右の引き手バー毎に設けられる。
【００３４】
また、請求項５に記載したとおり、引き手バーは器具本体から脱着自在となるので（図２参照）、移動や保管などに資すると共に、使用者が座椅子に腰掛ける際、引き手バーが邪魔にならず極めて容易に腰掛けることが可能となるものである。
【００３５】
押し足バー４は、座椅子部２と背もたれ部１との略直線上に設けられ、使用者が腰掛けた状態において、足裏部が接する箇所に配置されるものである。
【００３６】
該押し足バー４は、使用者が足裏で前方へ押しつけるようにすると、所定の抵抗力を有しながら可動することとなる。
【００３７】
抵抗力を付与する手段は、上記した背もたれ部、引き手バーと同様の構造を採用するものであり、ばね材を用い、該ばね材を押し足バーと器具本体に固着させるものとなる。
【００３８】
これにより、背中を反らせるようにして全身を伸ばしながら、脚部を同時に伸ばすことが可能となり、かつ一定の負荷を課すことにより、膝などの脚部の筋肉やアキレス腱などのトレーニングをかねることが可能となる。
【００３９】
なお、該押し足バー４は、請求項２に記載されるように、各バーが独立して可動することとなるので、例えば、使用者は片方の足のみを使いトレーニングすることも可能となる。
【００４０】
したがって、上記ばね材は、左右の押し足バー毎に設けられる。
【００４１】
また、該押し足バーは、請求項４に記載されるように、例えば、調節部Ｙを用いて、使用者の身長に合わせ設置位置を変動させることが可能となる。
【００４２】
請求項６に記載されるように、本発明は、折りたたみ自在に構成されるので、未使用時や運搬時に省スペース化を図ることが可能となる（図３参照）。
【００４３】
本発明における、座椅子部や背もたれ部は、クッション性のある部材を配設し、背もたれ部上方には例えば、回転可能な円筒状クッションＣを設けることにより、背部を伸ばした際、痛みを覚えることなく快適に運動を続けることが可能となる。
【００４４】
【発明の効果】
本発明は、上記に詳述したように構成されるので、以下に示す効果を奏するものである。
【００４５】
老人や病後の者が着座した状態で、極めて容易に、全身の伸身運動や筋力トレーニング、アームチェスト運動の各種運動をなすことができる健康維持を目的とする室内運動器具を提供することが可能ととなる。
【００４６】
構造が簡易のため、取扱が容易で、軽量且つ折りたたみ可能なため、移動、保管に適した健康維持を目的とした室内運動器具を提供することが可能となる。
【００４７】
リビングチェアとしても兼用可能であるため、運動をしない状態でも利用可能となる。
【図面の簡単な説明】
【図１】本発明の一実施例において、その使用状態を示す斜視図である。
【図２】本発明の一実施例を示す斜視図である。
【図３】本発明の一実施例において、その折りたたまれた状態を示す図である。
【符号の説明】
１　背もたれ部
２　座椅子部
３　引き手バー
４　押し足バー
Ｘ　ばね材
Ｙ　調節部
Ｈ　ヘッドレスト
【図１】
2004016577.tif 000003
【図２】
2004016577.tif 000004
【図３】
2004016577.tif 000005